(57)【要約】      （修正有）【課題】男女の身長差を調整することができ、かつ、足の力を皮革製の靴底面に確実に伝えることのできる社交ダンスシューズを提供する。【解決手段】足収容部２と、床面に接する皮革製の靴底面３と、前記足収容部の足裏面と前記靴底面３との間に設けられたゴム層４（厚みが５０ｍｍ以上）とを有する社交ダンスシューズを提供する。また、ゴム層４に切れ目を設けて、足の力が分散してしまうことを防止する。力を加える足指部分２２においては、切れ目の間隔を３０ｍｍ以下とする。【選択図】図２
0003188188.tif 000002
【実用新案登録請求の範囲】
【請求項１】
足収容部と、
床面に接する皮革製の靴底面と、
前記足収容部の足裏面と前記靴底面との間に設けられたゴム層とを有し、
前記ゴム層の厚みが５０ｍｍ以上であることを特徴とする、社交ダンスシューズ。
【請求項２】
前記ゴム層の上端の１０ｍｍ及び下端の１０ｍｍを除く部分は縦方向の切れ目を有し、
足指部分における該切れ目の間隔が３０ｍｍ以下であることを特徴とする、請求項１に記載の社交ダンスシューズ。
【請求項３】
床面に接するヒールを有し、
該ヒールの上下方向の弾性が前記ゴム層の上下方向の弾性よりも小さいことを特徴とする、請求項１又は２に記載の社交ダンスシューズ。
【考案の詳細な説明】
【技術分野】
【０００１】
本考案は、社交ダンスシューズに関する。
【背景技術】
【０００２】
社交ダンスにおいて、パートナーとなる男女の身長差が大き過ぎると、お互いの体の位置が合わず、うまくダンスすることができない。このため身長差を調整する必要があり、女性の社交ダンスシューズに高い（５０ｍｍから８０ｍｍのことが多い）のヒールを使用していた。また、例えば特許文献１に開示された方法によってヒールの高さを調整することもできた。しかし、ヒールの高さによる調整は、安全にダンスするためには限界がある。８０ｍｍを超えてヒールを高くすることは、問題であった。
【０００３】
しからば、ヒールの高さのみでなく靴底（足裏と床面の間の部分）の厚みによっても調整して（ヒール部分のみならず女性の足全体を上に移動して）、安全に身長差の調整を行えるように思える。しかし、従来の社交ダンスシューズは、靴底が薄いものであった。
【０００４】
社交ダンスシューズの靴底面（床に接する面）は、ターンやスピンを行う際に、床面を傷つけないように、かつ、支点部が滑りにくいように、皮革製であることが多い。支点部を支える足の力を皮革製の靴底面に確実に伝えるため、足と靴底面との間にある靴底をあまり厚くすることができなかった。
【先行技術文献】
【特許文献】
【０００５】
【特許文献１】特開２００４−３３７１８３号公報
【考案の概要】
【考案が解決しようとする課題】
【０００６】
本考案は、男女の身長差を調整することができ、かつ、足の力を皮革製の靴底面に確実に伝えることのできる社交ダンスシューズを提供することを課題とする。
【課題を解決するための手段】
【０００７】
本考案は、足収容部と、床面に接する皮革製の靴底面と、前記足収容部の足裏面と前記靴底面との間に設けられたゴム層とを有し、前記ゴム層の厚みが５０ｍｍ以上であることを特徴とする、社交ダンスシューズである。
【０００８】
ゴム層（靴底）の厚みによって男女の身長差をカバーすることができる。ゴム層を介して支点部を支える足の力を皮革製の靴底面に伝えることができる。ゴム層において足の力が分散しないよう、ゴムは軟質のものであることが好ましい。
【０００９】
また、本考案は、前記ゴム層の上端の１０ｍｍ及び下端の１０ｍｍを除く部分は縦方向の切れ目を有し、足指部分における該切れ目の間隔が３０ｍｍ以下であることを特徴とする社交ダンスシューズである。
【００１０】
これにより、足の力の分散を抑制し、確実に靴底面に伝えることができる。ターンやスピンをする場合においては、足の力によって確実に支点を設けることができる。ここで「足指部分」とは、爪先から３０ｍｍ以内の部分を言う。また、「切れ目の間隔」とは、切れ目に直交する断面における切れ目と交差しない直線の最大長を言う。すなわち、いかなる方向についても、一つの切れ目から、「切れ目の間隔」若しくはそれ以下の長さで他の切れ目が存在する。
【００１１】
また、本考案は、床面に接するヒールを有し、該ヒールの上下方向の弾性が前記ゴム層の上下方向の弾性よりも小さいことを特徴とする社交ダンスシューズである。
【００１２】
これにより、ヒールについては比較的硬性となり、踵部分が安定する。
【考案の効果】
【００１３】
本考案の社交ダンスシューズによると、男女の身長差を調整することができ、かつ、足の力を皮革製の靴底面に確実に伝えることができる。
【図面の簡単な説明】
【００１４】
【図１】図１は、スタンダード社交ダンスシューズを示す図である。
【図２】図２は、ゴム層に切れ目が入れられたスタンダード社交ダンスシューズを示す図である。
【図３】図３（Ａ）及び（Ｂ）は、ゴム層の横断面図である。
【図４】図４は、ゴム層に切れ目が入れられたラテン社交ダンスシューズを示す図である。
【考案を実施するための形態】
【実施例１】
【００１５】
図１に、社交ダンスシューズを示す。図に示されるものは、スタンダード社交ダンスシューズである。社交ダンスシューズ１は、足収容部２と、靴底面３と、ヒール５と、カウンター６と、シャンク８と、を備える。
【００１６】
足収容部２は、足の指先側を収める部分であり、土踏まずの部分対応するシャンク８を介して、踵を収納するカウンター６に繋がる。カウンター６には、ヒール５が下側に配置され、ヒール５の底面が床面に接する。なお、カウンター６には、社交ダンスシューズ１を足首に固定させるストリング７が取付けられることもある。
【００１７】
足収容部２の足裏面２１と床面に接する皮革製の靴底面３との間に、ゴム層４が設けられている。ゴム層４は、５０ｍｍ以上あり、ヒール５をあまり高くせずとも男女の身長差を調整することができる。なお、種々の厚さのゴム層４のシューズを揃え、男女の身長差に応じて選択することが可能である。
【００１８】
ゴム層４の材質は、ジョギングシューズの靴裏に用いられるものと同様に、軟質のものである。足の力を靴底面３に伝える際の分散が小さく、また、床面から足裏への衝撃を緩和する。
【００１９】
ヒール５は、上下方向の力に対する弾性（単位面積・単位力当たりの伸縮率）がゴム層４よりも小さい。が好まれる。したがって、ヒール５の上下方向の弾性が、ゴム層４の上下方向の弾性よりも小さい、すなわち、単位長さ当たりの変形率が小さいヒール５が採用されている。
【実施例２】
【００２０】
本実施例は、ゴム層４に切れ目を入れるものである。他の部分は実施例１と同様であり、説明を省略する。
【００２１】
図２に、ゴム層に切れ目が入れられたスタンダード社交ダンスシューズを示す。ゴム層４は、縦方向の切れ目４１を有する。切れ目４１はゴム層４の上端から下端に至ることが好ましいが、足裏面２１及び靴底面３をゴム層４と接着するため、ゴム層４の上端及び下端の部分には切れ目４１を設けない。上端及び下端の切れ目のない部分の厚みは１０ｍｍ以下とする。
【００２２】
足の力（靴底面を床面に圧着させるために足の一部から下方に向かう力）は、完全に真下に向かうことはなく、ゴム層４によって分散される。例えば足指によって力を加えた場合において、靴底面３においては、足裏面２１よりも広い面積に力が加わり、単位面積当たりの力が小さくなってしまう。ターンやスピンをする場合に、支点が確実でなくなってしまうことがある。
【００２３】
ゴム層４の材質によって力の分散を抑制できるが、切れ目は、より効果的である。可撓性を有するゴムは切れ目においてずれを生じ、切れ目の一側の力が他側に伝わりにくいからである。
【００２４】
ゴム層４の切れ目４１の間隔は、足指部分２２においては、３０ｍｍ以下、好ましくは５〜１５ｍｍである。足指等による局所的な力を、切れ目４１の間隔以上に分散させることなく靴底面３に伝える。これにより、ターンやスピンをする場合に、支点が確実に形成される。
【００２５】
図３（Ａ）及び（Ｂ）に切れ目４１のパターンをゴム層４の断面図として示した。（Ａ）のように、断面において均等に切れ目４１が配置してもよいし、（Ｂ）のように、蜘蛛の巣状に切れ目４１を配置してもよいし、他の形状であってもよい。
【実施例３】
【００２６】
図４にラテン社交ダンスシューズ１を示す。実施例２のスタンダード社交ダンスシューズと同様の構成の、ラテン社交ダンスシューズである。
【００２７】
本考案は、スタンダード社交ダンスシューズ、ラテン社交ダンスシューズの双方に用いることができる。
【産業上の利用可能性】
【００２８】
男女の身長差を調整することができ、かつ、足の力を皮革製の靴底面に確実に伝えることができる社交ダンスシューズであり、多くのダンサーによる利用が期待される。
【符号の説明】
【００２９】
１…社交ダンスシューズ
２…足収容部
３…靴底面
４…ゴム層
５…ヒール
６…カウンター
７…ストリング
８…シャンク
２１…足裏面
２２…足指部
４１…切れ目
【図１】
0003188188.tif 000003
【図２】
0003188188.tif 000004
【図３】
0003188188.tif 000005
【図４】
0003188188.tif 000006